(57)【要約】【課題】被写体に気づかれないように近赤外発光波長を切り替え、被写体を撮像することが可能な撮像装置を提供すること。【解決手段】ピーク波長が異なる複数の波長帯域の近赤外光を切り替えて照射する光源部と、前記光源部のそれぞれの近赤外光発光強度を個々に変えられる駆動部と、被写体画像から人の顔部を検出する顔検出部と、を有する撮像装置において、被写体の顔検出出力を得て近赤外光光源をより長波長の近赤外光源に切替え、同時に駆動部での駆動電力を切替えることを特徴とする。【選択図】図１
2016092784.tif 000002
【特許請求の範囲】
【請求項１】
ピーク波長が異なる複数の波長帯域の近赤外光を切り替えて照射する光源部と、
前記光源部のそれぞれの近赤外光発光強度を個々に変えられる駆動部と、
被写体画像から人の顔部を検出する顔検出部と、を有する撮像装置において、
被写体の顔検出出力を得て近赤外光光源をより長波長の近赤外光源に切替え、
同時に駆動部での駆動電力を切替えることを特徴とする撮像装置。
【請求項２】
ピーク波長が異なる複数の波長帯域の近赤外光を切り替えて照射する光源部と、
前記光源部のそれぞれの近赤外光発光強度を個々に変えられる駆動部と、
被写体画像から人の顔部を検出する顔検出部と、を有する撮像装置において、
被写体の顔検出出力により、近赤外光光源の駆動部と、より長波長の近赤外光光源の駆動部を制御し、徐々に駆動部での電流を切替えることを特徴とする撮像装置。
【発明の詳細な説明】
【技術分野】
【０００１】
本発明は、近赤外領域まで感度を有する撮像素子を用いたビデオカメラ装置に関し、特に複数の近赤外照明部を具備したビデオカメラ装置に関する。
【背景技術】
【０００２】
近年、防犯意識の向上や犯罪捜査の一環としての活用等、いわゆる監視カメラ、防犯カメラ等のセキュリティ用途のカメラ使用例が増えている。その中で、夜間等の暗闇の中でも撮像が可能なものも求められるケースが増えてきており、その一つとして近赤外ＬＥＤを搭載した赤外カメラが、比較的安価なこともあって普及が始まっている。特許文献１には、近赤外ＬＥＤを夜間の照明用光源とするカメラ装置が提案されている。
【０００３】
図４は上記のような近赤外ＬＥＤを搭載した監視カメラでの撮像の１例を示す図である。図４のカメラＡに搭載の近赤外ＬＥＤは、カメラ本体の前部に配され、室内を照射する。その中心放射波長は図６に示すように８５０ｎｍ近辺のものであり、照明光としては人間には感知できないが、カメラに近づくとほの暗い赤色の点として見えるものである。
【０００４】
夜間の暗闇の状況の中に、侵入者Ｂがたとえば図の中の金庫をねらって入ってくるケースが考えられる。監視カメラＡは近赤外ＬＥＤを発光させ、室内を人間の目に感知できないレベルの放射強度で照らし、侵入者を撮影、記録する。
【先行技術文献】
【特許文献】
【０００５】
【特許文献１】特開２００２−３２０１３９号公報
【発明の概要】
【発明が解決しようとする課題】
【０００６】
しかしながら、上記従来例では侵入者ＢがカメラＡの極近傍まで近づくと、近赤外ＬＥＤの発光を本人に覚られる恐れがあった。カメラＡが壊されることがあったり、侵入者を詳細に撮影する前に取り逃がしてしまう恐れがあった。
【０００７】
一方、近赤外ＬＥＤにおいてもその図６のように中心波長が９５０ｎｍ近辺のものも広く使用されており、こちらは照明光も人間の眼には見えず、発光部は近づいても感知できないという特徴がある。侵入者Ｂの撮影を目的としたカメラにおいては、その性格上近赤外光が覚られない方が効果があるといえる。
【０００８】
しかし、人間の眼に見えない９５０ｎｍ中心波長をもつＬＥＤの場合では、図５のようにレンズの分光透過率が約６０％下がるため、暗い画像となってしまうことがあった。それを補うためには、駆動電流を上げる必要があるため消費電力が増えてしまうということがあった。
【０００９】
一般に多群のガラスによって構成されたレンズの分光透過率には、近赤外側になるほど透過率が下がる特徴があり、図５に示すレンズにおいても９５０ｎｍの透過率は８５０ｎｍの約６０％程度となる。そのため、得られる画像の明るさを８５０ｎｍと９５０ｎｍの２つのＬＥＤ間で同じに保つには９５０ｎｍのＬＥＤの駆動電流を上げる必要があった。駆動電流の上昇分は常にカメラＡが消費するため、防犯、監視カメラ用途としては無駄な電力となっていた。
【課題を解決するための手段】
【００１０】
上記の問題を解消するために、本発明は、 
ピーク波長が異なる複数の波長帯域の近赤外光を切り替えて照射する光源部と、
前記光源部のそれぞれの近赤外光発光強度を個々に駆動する駆動部と、
被写体画像から人の顔の特長を検出する顔検出部と、を有する撮像装置において、
被写体の顔検出出力により、近赤外光光源をより長波長の近赤外光光源に切替えることを特徴とする。
【００１１】
また、本発明の他の特徴とするところは、
ピーク波長が異なる複数の波長帯域の近赤外光を切り替えて照射する光源部と、
前記光源部のそれぞれの近赤外光発光強度を個々に変えられる駆動部と、
被写体画像から人の顔部を検出する顔検出部とを有する撮像装置において、
被写体の顔検出出力により、近赤外光光源の駆動部と、より長波長の近赤外光光源の駆動部を制御し、徐々に駆動部での電流を切替えることを特徴とする。
【発明の効果】
【００１２】
本発明の撮像装置によれば、被写体に気づかれないように近赤外発光波長を切り替え、被写体を撮像することが可能となる。
【図面の簡単な説明】
【００１３】
【図１】本発明の第１の実施例
【図２】本発明の第２の実施例
【図３】本発明の第２の実施例による、赤外駆動制御方法を示す説明図
【図４】従来例および、本発明の実施例による、被写体の撮像例に関する説明図
【図５】一般的なレンズの透過特性を表す図
【図６】近赤外ＬＥＤの発光放射特性を表す図
【発明を実施するための形態】
【００１４】
以下、本発明を実施するための形態を図面に基づいて説明する。
【００１５】
＜第１の実施形態＞
本発明の実施例の動作を説明する。図１は本発明の実施形態を示す撮像装置のブロック図である。図１において、１０１はレンズ、１０２は絞り、１０３はＣＭＯＳセンサ、１０４はＡＤ変換器、１０５はデジタルプロセス回路、１０６出力部、１０７はＣＭＯＳセンサ駆動用タイミング発生部（以下ＴＧと省略する）、１０８はマイコン、１０９は絞りの駆動部、１１０は赤外カットフィルタ、１１１は撮像信号から人の顔を検出する顔検出部、１１２はスイッチ、１２０は近赤外ＬＥＤ１の駆動電流を制御する駆動部、１２１は近赤外ＬＥＤ２の駆動電流を制御する駆動部、１２２は近赤外ＬＥＤ１、１２３は近赤外ＬＥＤ２である。
【００１６】
図１、図４を参照して、本発明の実施形態を説明する。侵入者Ｂがいない通常撮像での状況においては、室内の様子はレンズ１０１を通し、絞り１０２で光量制限され、ＣＭＯＳセンサ１０３上に結像される。ＣＭＯＳセンサ１０３で光電変換されたアナログ信号はＡＤ変換器１０４にてデジタル信号に変換される。デジタル信号プロセス回路１０５では各種信号処理が施され、出力部１０６を通じて外部などへ出力されとともに、記録部（図示せず）にて記録される。１１０は赤外カットフィルタで、撮像光路上を抜き差しできる駆動部があり、この場合の使用条件では光路上から退避されている。スイッチ１１２ではデフォルトの制御信号がマイコン１０８から送られて、接点がａ側へ接続されている。近赤外ＬＥＤ１駆動回路は接点ａ、ｃを通じて電源ラインへ接続され、駆動電流１ａが１２２の近赤外ＬＥＤ１へ流れ、８５０ｎｍの中心波長にて放射強度ｒ１で放射発光される。
【００１７】
次に侵入者が現れた場合の状況を説明する。被写体の信号は顔検出部１１１にて、被写体の中の人間の顔を検出する。この時、侵入者Ｂの顔が検出されると、その結果はマイコン１０８に入力される。マイコン１０８はＣＭＯＳ駆動を行うＴＧ１０７へ駆動信号を送り、絞り１０２を駆動する絞り駆動回路へ制御信号を送る一方、上記顔検出部１１１からの入力を受け、スイッチ１１２への制御信号を切り替える。制御信号を受けて、スイッチの接点はａからｂへと切替え動作がなされ、近赤外ＬＥＤ２駆動回路側に電源が接続され、近赤外ＬＥＤ２に駆動電流２ａが流れ、９５０ｎｍの中心波長にて放射強度ｒ２で放射発光される。駆動電流２ａにより、透過率が下がる分だけ、分放射強度上げることで得られる画像を同じ明るさを保つことが可能となる。 
【００１８】
以上説明したように、本実施形態の撮像装置によれば、被写体に気づかれないように近赤外発光波長を切り替え、侵入者Ｂを撮像し続けることが可能となる。また、本発明の他の特徴とするところは、侵入者Ｂの有無を顔の検出を用いることで、自動で切り替えが可能となることを特徴としている。
【００１９】
図８は上記動作時のマイコン１０８の制御を示すフローチャートを示す。
【００２０】
＜第２の実施形態＞
図２は本発明の実施形態を示す撮像装置のブロック図である。図１と同様の機能を有するブロックについてはその説明を省力する。図２において、１２０は近赤外ＬＥＤ１の駆動電流を制御する駆動部、１２１は近赤外ＬＥＤ２の駆動電流を制御する駆動部、１２２は近赤外ＬＥＤ１、１２３は近赤外ＬＥＤ２である。
【００２１】
図２、図３、図４を参照して、本発明の第二の実施形態を説明する。被写体であるところの侵入者Ｂははレンズ１０１を通し、絞り１０２で光量を制限され、ＣＭＯＳセンサ１０３上に結像される。ＣＭＯＳセンサ１０３で光電変換されたアナログ信号はＡＤ変換器１０４にてデジタル信号に変換される。デジタル信号プロセス回路１０５では各種信号処理が施され、出力部１０６を通じて外部などへ出力されとともに、記録部にて記録される。１１０は赤外カットフィルタで、撮像光路上を抜き差しできる駆動部があり、この場合も第一の実施例と同様に光路上から退避されている。
【００２２】
次に、侵入者Ｂが現れた場合について説明をする。被写体信号は顔検出部１１１にて、被写体の中の人間の顔を検出される。この時、侵入者Ｂの顔が検出され、その結果はマイコン１０８に入力される。マイコン１０８はＣＭＯＳ駆動を行うＴＧ１０７へ駆動信号を送り、絞り１０２を駆動する絞り駆動回路へ所望の信号を送り一方、顔検出部１１１からの入力を受け、近赤外ＬＥＤ１駆動回路１２０および近赤外ＬＥＤ２駆動回路１２１へ制御信号を出力する。制御信号を受けて近赤外ＬＥＤ１駆動回路１２０では駆動電流を時間と共に徐々に下げる動作となる。一方近赤外ＬＥＤ駆動回路１２１では電流を徐々に上げる動作となり、時間Ｔ１秒後に１２２近赤外ＬＥＤ１は放射を止められ、１２３近赤外ＬＥＤ２が放射状態となる（図３）。
【００２３】
以上説明したように、本実施形態の撮像装置によれば、被写体に気づかれないように近赤外発光波長を切り替え、侵入者Ｂを撮像し続けることが可能となるとともに、普段侵入者Ｂが無い場合はより低消費電力駆動とし、侵入者Ｂがその顔の情報検出手段により確認された後には、気づかれない波長のＬＥＤに切り替え、同時に駆動電流を上げ明るさを保つとともに、近赤外ＬＥＤの切替え動作中にも、被写体像の明るさを一定に保つことを特徴としている。
【００２４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００２５】
本発明の撮像装置は、監視カメラ、防犯カメラに利用可能である。
【符号の説明】
【００２６】
１０１  レンズ、１０２  絞り、１０３  ＣＭＯＳセンサー、１０４  ＡＤ変換器、
１０５  デジタルプロセス回路、１０７  ＴＧ、１０８  マイコン、
１０９  絞り駆動回路、１１０  赤外カットフィルタ、１１１  顔検出回路、
１１２  スイッチ、１２０  近赤外ＬＥＤ１駆動回路、
１２１  近赤外ＬＥＤ２駆動回路、１２２  近赤外ＬＥＤ１、１２３  近赤外ＬＥＤ２
【図１】
2016092784.tif 000003
【図２】
2016092784.tif 000004
【図３】
2016092784.tif 000005
【図４】
2016092784.tif 000006
【図５】
2016092784.tif 000007
【図６】
2016092784.tif 000008